(57)【要約】【課題】剥離開始部分を容易に作れるとともに、樹脂フィルムを簡単にかつ確実に剥がせる紙容器を作製するための紙容器用ブランクを提供すること。【解決手段】樹脂フィルムを板紙の全面に剥離可能な状態で貼合してなる積層体を原反とし、その原反を打ち抜いて作製される紙容器用ブランク１０であって、板紙に入れた切れ目線ｐにより、樹脂フィルムの剥離を開始する方向が板紙の紙の目の方向（矢印方向）と略直交する方向となるように剥離開始部分Ｐ１を設ける。切れ目線ｐのところで紙層が完全に切れておらず、樹脂フィルムの剥離に伴ってその樹脂フィルムにくっ付いた形で紙の剥がれが起こったとしても、剥離開始部分Ｐ１からの剥離が紙の目に逆らって行われるため、紙の剥がれは直ぐになくなって、板紙に対して樹脂フィルムが境界面で剥離される。【選択図】図１
2007145392.tif 000002
【特許請求の範囲】
【請求項１】
樹脂フィルムを板紙の全面に剥離可能な状態で貼合してなる積層体を原反とし、その原反を打ち抜いて作製される紙容器用ブランクであって、積層体における樹脂フィルム以外の層に入れた切れ目線により、樹脂フィルムの剥離を開始する方向が板紙の紙の目の方向と略直交する方向となるように剥離開始部分を設けたことを特徴とする紙容器用ブランク。
【請求項２】
剥離開始部分が、ブランクの端縁部に設けられた摘み部であることを特徴とする請求項１に記載の紙容器用ブランク。
【請求項３】
剥離開始部分が、ブランクの端縁部付近に設けられた押込み部であることを特徴とする請求項１に記載の紙容器用ブランク。
【発明の詳細な説明】
【技術分野】
【０００１】
本発明は、板紙からなる紙容器の技術分野に属し、詳しくは、リサイクルに対応した紙容器を形成するために用いられる紙容器用ブランクに関するものである。
【背景技術】
【０００２】
従来より、調味料や油が付着した食品、煮汁のでる食品、或いは電子レンジ調理冷凍食品用として、一般に、板紙とその内面にコーティング又はラミネートされたポリエチレン等の樹脂フィルムとからなる積層体を材料とする紙容器が使用されており、汚れ防止用としてこのような樹脂フィルムを設けることによって、内容物が板紙に直に接触することを防止するようになっている。
【０００３】
そして、このような食品等を入れる用途によく利用されるタイプの紙容器として、四隅からの液漏れを防止するように四隅を外側に折り込んで側板の外面に貼り合わせたウェッブ（みずかき）コーナー型紙容器やトレー状の絞り成形紙容器などが知られている。
【特許文献１】特開２００４−５１１５７号公報
【特許文献２】実開昭５２−４７００５号公報
【発明の開示】
【発明が解決しようとする課題】
【０００４】
ところで、近年、環境問題が大きな問題となっており、自然環境を守ろうとする意識が高まっている。特に、廃棄物処理の問題は大きく、できるだけ材料を少なく使用する省資源化、そして資源の再使用であるリサイクル等での対応が求められている。このような背景のもとに、包装に使用される容器を廃棄する時には、できるだけ材料を紙とプラスチックに分別することが望まれている。
【０００５】
この環境問題に対応して、紙容器の廃棄時に紙とプラスチックに分離してその分離した紙を再資源化するために、板紙に樹脂フィルムを剥離可能な状態で全面に貼合してなる積層体を材料に使用した紙容器が提案されている。ところが、このような形態の紙容器においても、消費者は内容物である食品を食した後、樹脂フィルムを引き剥がさずに廃棄する場合が少なくなかった。そこで、この剥離可能な樹脂フィルムを消費者が引き剥がせるように、紙の内面に樹脂フィルムを部分的に貼り合わせた形状のウェッブコーナー型紙容器も提案されている（例えば、特開２００１−３２８６２２号公報参照。）。
【０００６】
しかしながら、上記のウェッブコーナー型紙容器のような場合だと、樹脂フィルムを紙の内面に部分的に要所要所を見当を合わせて貼り合わせる加工は、極めて加工難度が高いのでコストが高くなる傾向にある。したがって、原材料の段階で紙の内面に樹脂フィルムを全面的に貼り合わせる方法が好ましいが、このようにすると、貼り合わせた樹脂フィルムが剥がしにくくなり、特に、剥離開始において、紙と樹脂フィルムとが密着しているために、爪を立てながら両者を分離させるきっかけを作るなど細かい操作が必要であった。このため、剥離開始部のところで樹脂フィルム以外の層に切込みを入れて剥離開始部分を作り、樹脂フィルム以外の部分を外してそこをきっかけにして剥がす方法があるが、薄い樹脂フィルムだけを残して他の部分のみに切込みを入れることは難しく、強く入れると樹脂フィルムが切れ、弱いと紙が切れ残るなどの不具合が生じてしまう。
【０００７】
さらに、使用した後に剥離可能な樹脂フィルムを剥がす方法が定まっていないため、剥がし始めるきっかけが分かりにくい上に、剥がし方によっては途中で樹脂フィルムが切れる等して、樹脂フィルムを剥がし損なうことが少なくなかった。また、うまく剥がそうとしても、特に、樹脂フィルムが強く接着されていると、剥がし損なうことが多かった。さらに、樹脂フィルムが弱く接着されていても、接着部分の面積が広いと剥がしにくく、剥がすきっかけがないまま無理に剥がそうとすると、紙ムケを起こして失敗することが多かった。
【０００８】
本発明は、このような事情に鑑みてなされたものであり、その目的とするところは、樹脂フィルムを剥がすきっかけとなる剥離開始部分を容易に作れるとともに、樹脂フィルムを簡単にかつ確実に剥がせる紙容器を作製するための紙容器用ブランクを提供することにある。
【課題を解決するための手段】
【０００９】
上記の目的を達成するため、本発明の紙容器用ブランクは、樹脂フィルムを板紙の全面に剥離可能な状態で貼合してなる積層体を原反とし、その原反を打ち抜いて作製される紙容器用ブランクであって、積層体における樹脂フィルム以外の層に入れた切れ目線により、樹脂フィルムの剥離を開始する方向が板紙の紙の目の方向と略直交する方向となるように剥離開始部分を設けたことを特徴としている。
【００１０】
そして、上記構成の紙容器用ブランクにおいて、剥離開始部分が、ブランクの端縁部に設けられた摘み部であるように設計することができるし、或いは、剥離開始部分が、ブランクの端縁部付近に設けられた押込み部であるように設計することもできる。
【発明の効果】
【００１１】
本発明の紙容器用ブランクは、剥離開始部分から樹脂フィルムの剥離を開始した際に、切れ目線のところで紙層が完全に切れておらず、樹脂フィルムの剥離に伴ってその樹脂フィルムにくっ付いた形で紙の剥がれが起こったとしても、剥離開始部分からの剥離が紙の目に逆らって行われるため、紙の剥がれは直ぐになくなって、板紙に対して樹脂フィルムが境界面で剥離されることから、紙と樹脂フィルムの分別が良好に行われる。また、原反からの打抜き時に、薄い樹脂フィルムだけを残して板紙だけに切れ目を入れる場合、通常は、正確に入れようとしても強く入ったり弱く入ったりして不良が出るが、本発明の紙容器用ブランクは、１００％正確に入れる必要はないので、剥離開始部分を容易に形成することができ、しかも分別の際にフィルム側に紙剥けが残るという製品としての不良品を無くすことができる。
【発明を実施するための最良の形態】
【００１２】
次に、本発明の実施の形態について図面を参照しながら詳細に説明する。
【００１３】
図１は本発明に係る紙容器用ブランクの一例を示す展開図、図２は図１の部分断面図、図３は図１に示すブランクで形成した紙容器を示す斜視図である。
【００１４】
図１のブランク１０は、樹脂フィルムを板紙の全面に剥離可能な状態で貼合してなる積層体（図２参照）を原反とし、その原反を打ち抜いて作製されたものであり、図示のように、矩形状の底板１１における上下の対向する辺にそれぞれ折り線ａを介して側板１２，１２が連設され、左右の対向する辺にそれぞれ折り線ｂを介して側板１３，１３が連設されている。ここで、ブランク１０は、上下の対向する折り線ａが板紙の紙の目の方向（矢印方向）と平行で、左右の対向する折り線ｂが板紙の紙の目の方向と略直交する方向になるように設計されている。この「紙の目」とは紙の特質の一つである。すなわち、紙が抄紙機で抄かれる時、紙料（パルプ）中の繊維は抄紙機上を流れる方向に大体並ぶが、その流れの方向を「紙の目の方向」と称している。なお、本発明で略直交するとは正確に直交する場合も含むものとする。
【００１５】
さらに、ブランク１０における側板１２，１２の両側辺には放射状折り線ｃを介してそれぞれ三角形状の折込み片１４が連設され、側板１３の両側辺には放射状の折り線ｄを介してそれぞれ三角形状の折込み片１５が連設され、隣接する折込み片１４，１５同士が放射状折り線ｅで連設されており、この折込み片１４，１５同士を連設した部分がウェッブコーナー部Ｗとなっている。また、一方の対向する一対の側板１２，１２の一つの側板１２の上辺には折り線ｆを介して蓋板１６が連設され、その蓋板１６の上辺には折り線ｇを介して差込み片１７が連設され、他方の対向する一対の側板１３，１３の外側の辺には折り線ｈを介してそれぞれ延長片１８が連設されている。これらの延長片１８は必ずしも設ける必要はないが、保形性をよくするために設けることが好ましい。
【００１６】
そして、このブランク１０では、一方の側板１２の上縁部の略中央に、貼合された樹脂フィルムを剥がし始めるための剥離開始部分としての摘み部Ｐ１を設けている。したがって、摘み部Ｐ１は、樹脂フィルムの剥離を開始する方向が板紙の紙の目の方向と略直交する方向となるように設けられている。この摘み部Ｐ１は、図２の部分断面図に示すように、樹脂フィルムＦ以外の層にミシン目による切れ目線ｐを半円形状に入れて形成したものである。このような摘み部Ｐ１を設けることにより、切れ目線ｐのところで樹脂フィルムＦ以外の層が破れ、樹脂フィルムＦを剥がすことができる。なお、切れ目線ｐはミシン目の他に切れ刃で入れることもできる。
【００１７】
図３の紙容器Ａ１は、図１のブランク１０をそのフィルム側を内面にして組み立てたものである。その外見形状は通常のウェッブコーナー型紙容器と同様であり、矩形状の底板１１における一方の対向する辺から一対の側板１２，１２が、他方の対向する辺から一対の側板１３，１３がそれぞれ起立し、一方の対向する一対の側板１２，１２のうちの一つの側板１２の上辺には蓋板１６及び差込み片１７が連設し、他方の対向する一対の側板１３，１３にはそれぞれ延長片１８，１８が設けられている。そして、隣接した側板１２，１３同士がウェッブコーナー部Ｗで連結されており、そのウェッブコーナー部Ｗを外側に折り込んで対向する一対の側板１３，１３側に折り曲げてその外面に貼り合わせることで固定されている。
【００１８】
そして、ブランク１０を組み立てた紙容器Ａ１は、ウェッブコーナー部Ｗを外側に折り込んで外面に貼り合わせて固定していない一対の側板１２，１２が板紙の紙の目の方向（矢印方向）と平行になっており、その側板１２，１２のうちの一つの側板１２の上縁部の略中央に、貼合された樹脂フィルムを剥がし始めるための剥離開始部分としての摘み部Ｐ１が設けられたものになる。
【００１９】
この紙容器Ａ１は、使用後に容器形状のままで樹脂フィルムを摘み部Ｐ１から剥がし始めることができる。そして、摘み部Ｐ１から樹脂フィルムを剥がし始めると、ウェッブコーナー部Ｗの内面が側板１３から剥がれることにより、コーナー部での抵抗する力が小さくてすみ、樹脂フィルムが切れることなく剥がすことができる。すなわち、側板１３の上縁から樹脂フィルムを剥がし始めると、コーナー部での抵抗力が大きく、樹脂フィルムが切れてしまうことが多いが、側板１２の上縁から樹脂フィルムＦを剥がし始めるようにすることで、前記の如く切れることなく剥がすことができる。なお、このブランク１０を用いた場合の変形例として、摘み部Ｐのある側板１２と反対側で蓋板１６を連設している側板１２の側にあるウェッブコーナー部Ｗは、側板１２側に折り曲げてその外面に貼り合わせるようにしてもよい。
【００２０】
ここで、摘み部Ｐ１を区画する切れ目線ｐは、樹脂フィルムを板紙の全面に剥離可能な状態で貼合した積層体からブランク１０を打ち抜く際に同時に形成する。この場合、樹脂フィルムは後で引っ張って剥がすのであるから、樹脂フィルムを傷つけないように、樹脂フィルムと紙層との境に丁度合うようにミシン刃や切れ刃を入れるのが理想的である。しかし、打抜き機でこれを正確に行うのは難しく、樹脂フィルムを傷つけないようにすると、紙層が完全に切れないことが避けられない。そして、このように紙層が完全に切れていないと、樹脂フィルムを引っ張った際に、紙層が層間剥離を起こしてフィルム側にくっついてしまう。この時、板紙の紙の目の方向と同じ方向に樹脂フィルムを剥がすようにすると、剥離した紙層が付いてきて剥離部分が大きくなる。これに対し、上記のように、剥離開始部分としての摘み部Ｐ１を側板１２の上縁部に設けておき、板紙の紙の目の方向と略直交する方向に樹脂フィルムを剥がすことにより、紙層の剥離は直ぐになくなり、分別が良好に行われることになる。
【００２１】
なお、上記の説明では、容器形状のままで樹脂フィルムを剥離したが、容器を展開してから樹脂フィルムを剥離するようにしてもよいことは言うまでもない。この場合でも、板紙の紙の目の方向と略直交する方向に樹脂フィルムを剥がすことになるので、紙層の剥離は直ぐになくなり、分別が良好に行われることになる。
【００２２】
図４に示す紙容器Ａ２は、図１に示したブランク１０において、一方の側板１２の上縁部に摘み部Ｐ１を設ける代わりに、一方の側板１２の上縁部の略中央に突出した摘み部Ｐ１を設けたブランクで形成したものである。この場合、側板１２と摘み部Ｐ１との境界線は樹脂フィルム以外の層に入れた切れ目線ｐとなる。この切れ目線ｐは図のようなミシン目の他に切れ刃で入れることもできる。また、この摘み部Ｐ１は、図では半円形状であるが、指で摘むことができれば形状は任意である。このような突出した摘み部Ｐ１を設けた場合でも、樹脂フィルムの剥がし方は前記した場合と同様となる。
【００２３】
図５に示す紙容器Ａ３は、図１に示したブランク１０において、一方の側板１２の上縁部に摘み部Ｐ１を設ける代わりに、一方の側板１２の上縁部付近の略中央に押込み部Ｐ２を設けたブランクで形成したものである。この押込み部Ｐ２は、樹脂フィルム以外の層に入れた切れ目線ｐにより設けられており、その切れ目線ｐは原反からブランクを打ち抜く時と同時に形成することができる。この切れ目線ｐは図のようなミシン目の他に切れ刃で入れることもできる。また、この押込み部Ｐ２は、図では長円形状であるが、指で押し込むことができれば形状は任意である。
【００２４】
この剥離開始部分としての押込み部Ｐ２を設けたことにより、消費者は紙容器Ａ３を使用した後に、この押込み部Ｐ２を指で押して樹脂フィルムを剥がすきっかけを作り、この剥がした部分を取っ掛かりとして樹脂フィルムを簡単にかつ確実に剥がすことができる。そして、板紙の紙の目の方向と略直交する方向に樹脂フィルムを剥がすことになるので、紙層が完全に切れていなくても、紙層の剥離は直ぐになくなり、分別が良好に行われることになる。
【００２５】
図６は本発明に係る紙容器用ブランクの別の例を示す展開図、図７は図６に示すブランクで形成した紙容器を示す斜視図である。
【００２６】
図６のブランク２０は、樹脂フィルムを板紙の全面に剥離可能な状態で貼合してなる積層体（図２参照）を原反とし、その原反を打ち抜いて作製されたものであり、図示のように、４つのコーナーが丸みを帯びた矩形状で、各コーナーに放射状の折り線ｉが施されている。ここで、ブランク２０は、左右の対向する短辺が板紙の紙の目の方向（矢印方向）と平行で、上下の対向する長辺が板紙の紙の目の方向と略直交する方向になるように設計されている。
【００２７】
そして、このブランク２０では、短辺側の端縁部の略中央に、貼合された樹脂フィルムを剥がし始めるための剥離開始部分としての摘み部Ｐ１を設けている。したがって、摘み部Ｐ１は、樹脂フィルムの剥離を開始する方向が板紙の紙の目の方向と略直交する方向となるように設けられている。この摘み部Ｐ１は、樹脂フィルムＦ以外の層にミシン目による切れ目線ｐを半円形状に入れて形成したものである（図２参照）。このような摘み部Ｐ１を設けることにより、切れ目線ｐのところで樹脂フィルムＦ以外の層が破れ、樹脂フィルムＦを剥がすことができる。なお、切れ目線ｐはミシン目の他に切れ刃で入れることもできる。
【００２８】
図７の紙容器Ｂ１は、図６のブランク２０をそのフィルム側を内面にしてプレス機により絞り加工を施したものである。その外見形状は通常の絞り成形容器と同様であり、コーナーが丸い矩形状の底面部２１と、その底面部２１の周囲から立ち上がる側壁部２２と、その側壁部２２に連設しかつ水平に延びるコーナーの丸いフランジ２３が形成されている。また、このフランジ２３の各コーナーには、折り線で折られたしわ部２４が側壁部２２のコーナーのしわ部２５から繋がった状態で形成されている。
【００２９】
そして、ブランク２０を絞り加工して形成された紙容器Ｂ１は、フランジ２３における短辺側の端縁部の略中央に、貼合された樹脂フィルムを剥がし始めるための剥離開始手段としての摘み部Ｐ１が設けられたものになる。
【００３０】
この紙容器Ｂ１は、使用後に樹脂フィルムをこの摘み部Ｐ１から剥がし始めることができる。そして、摘み部Ｐ１から樹脂フィルムを剥がし始めると、折り線で折られたしわ部２４，２５のところでは、フィルムが抜けるようにして剥がれて引っ掛かからないことから、最後まで切れることなく簡単にかつ確実に剥がすことができる。
【００３１】
また、この紙容器Ｂ１では、樹脂フィルムを剥がし始める方向は、図示のように、積層体における板紙の紙の目の方向（矢印方向）と略直交する方向になっている。したがって、この紙容器Ｂ１の場合も前記したのと同様、板紙の紙の目の方向と略直交する方向に樹脂フィルムを剥がすことにより、紙層の剥離は直ぐになくなり、分別が良好に行われることになる。
【００３２】
図８に示す紙容器Ｂ２は、図６に示したブランク２０において、フランジ２３における短辺側の端縁部に摘み部Ｐ１を設ける代わりに、短辺側の端縁部の略中央に突出した形態で摘み部Ｐ１を設けたブランクで形成したものである。この場合、フランジ２３と摘み部Ｐ１との境界線は樹脂フィルム以外の層に入れた切れ目線ｐとなる。この切れ目線ｐは図のようなミシン目の他に切れ刃で入れることもできる。また、この摘み部Ｐ１は、図では半円形状であるが、指で摘むことができれば形状は任意である。このような突出した摘み部Ｐ１を設けた場合でも、樹脂フィルムの剥がし方は前記した場合と同様となる。
【００３３】
図９に示した紙容器Ｂ３は、図６に示したブランク２０において、フランジ２３における短辺側の端縁部に摘み部Ｐ１を設ける代わりに、短辺側の端縁部付近に押込み部Ｐ２を設けたブランクで形成したものである。このブランクは、紙容器Ｂ３が一方の短辺側に膨出部２３ａを形成するように設計する。押込み部Ｐ２は、樹脂フィルム以外の層に入れた切れ目線ｐにより設けられており、その切れ目線ｐは原反からブランクを打ち抜く時と同時に形成することができる。この切れ目線ｐは図のようなミシン目の他に切れ刃で入れることもできる。また、この押込み部Ｐ２は、図では長円形状であるが、指で押し込むことができれば形状は任意である。
【００３４】
この剥離開始部分としての押込み部Ｐ２を設けたことにより、消費者は紙容器Ｂ３を使用した後に、この押込み部Ｐ２を指で押して樹脂フィルムを剥がすきっかけを作り、この剥がした部分を取っ掛かりとして樹脂フィルムを簡単にかつ確実に剥がすことができる。そして、板紙の紙の目の方向と略直交する方向に樹脂フィルムを剥がすことになるので、紙層が完全に切れていなくても、紙層の剥離は直ぐになくなり、分別が良好に行われることになる。
【００３５】
本発明による紙容器用ブランクの材料は、基材である板紙の内面に樹脂フィルムが貼合された積層体を使用する。その板紙の範囲は広く、コートボール、マニラボール、ミルクカートン原紙、カップ原紙、段ボール等を使用することができる。坪量は紙容器のサイズによって変わるが、１５０〜４５０ｇ／ｍ2 の範囲が好ましい。
【００３６】
また、汚れ防止用の樹脂フィルムとしては、ポリエチレンフィルム、ポリプロピレンフィルム、ポリエステルフィルム、ポリアミドフィルム等を使用することができ、また、生分解性プラスチックフィルム（ポリ乳酸、ポリヒドロキシブチレート、ポリラクトカプトン、ポリブチレンサクシレート、ポリエチレンサクシネート、ポリビニルアルコール、酢酸セルロース等）も使用することができる。フィルムの選定に当たっては、公知の厚生省告示２０号告示に適合したフィルムを使用することが好ましい。
【００３７】
この樹脂フィルムの貼り合わせは、剥離可能な接着剤を使用して剥離可能に全面接着する方法、或いは、ポリエチレン樹脂等を使用して押出しラミネートして貼合する方法等がある。また、板紙と樹脂フィルムの接着部分は密集していれば部分的であってもよく、このような接着方法として、熱シール、或いは、公知のエマルジョン型、溶剤型、ホットメルト型の接着剤、粘着剤を使用して部分的に接着する方法がある。
【００３８】
また、一般の紙容器を形成するブランクと同様に、本発明の紙容器用ブランクの表面には印刷が行われるが、オフセット、グラビア、フレキソ印刷等、これまでに知られているいかなる方法でも用いることができる。さらに、オーバーコート、艶出し、エンボス等の後加工も自由に行うことができる。ただし、組立時に貼り合わせる部分についてはオーバーコート層等を除くことが好ましい。
【００３９】
本発明による紙容器用ブランクは、上記の実施の形態で説明したものに限定されることなく、本発明の趣旨を逸脱しない範囲内で種々の変更が可能である。
【００４０】
例えば、上記した例では、ウェッブコーナー型紙容器と絞り成形紙容器を形成するブランクを例に挙げて説明したが、どのようなタイプの容器を形成するブランクについても適用することが可能である。
【図面の簡単な説明】
【００４１】
【図１】本発明に係る紙容器用ブランクの一例を示す展開図である。
【図２】図１の部分断面図である。
【図３】図１に示すブランクで形成した紙容器を示す斜視図である。
【図４】図１に示すブランクの変形例で形成した紙容器の斜視図である。
【図５】図１に示すブランクの変形例で形成した紙容器の斜視図である。
【図６】本発明に係る紙容器用ブランクの別の例を示す展開図である。
【図７】図６に示すブランクで形成した紙容器を示す斜視図である。
【図８】図６に示すブランクの変形例で形成した紙容器の斜視図である。
【図９】図６に示すブランクの変形例で形成した紙容器の斜視図である。
【符号の説明】
【００４２】
Ａ１，Ａ２，Ａ３  紙容器
Ｂ１，Ｂ２，Ｂ３  紙容器
Ｆ  樹脂フィルム
Ｐ１  摘み部
Ｐ２  押込み部
Ｗ  ウェッブコーナー部
ａ〜ｉ  折り線
ｐ  切れ目線
１０  ブランク
１１  底板
１２，１３  側板
１４，１５  折込み片
１６  蓋板
１７  差込み片
１８  延長片
２０  ブランク
２１  底面部
２２  側壁部
２３  フランジ
２３ａ  膨出部
２４，２５  しわ部
【図１】
2007145392.tif 000003
【図２】
2007145392.tif 000004
【図３】
2007145392.tif 000005
【図４】
2007145392.tif 000006
【図５】
2007145392.tif 000007
【図６】
2007145392.tif 000008
【図７】
2007145392.tif 000009
【図８】
2007145392.tif 000010
【図９】
2007145392.tif 000011